(57)【要約】【課題】  保護板と密閉シートで密閉構造を形成して、内部に美術品や書画、ドライフラワー等を入れて保護する密閉式額縁や密閉式飾り箱の密閉構造に関し、難接着性密閉シートと保護板を綺麗にむらなく、充分な強度で接合できる。【解決手段】両面に粘着剤を塗布した粘着テープ２を保護板１の端に取り付けて固定し、この粘着テープの反対の面に一面が熱圧着可能な素材からなる固定シート４を取り付けて、この固定シートに密閉シート３を熱圧着して取り付ける。【選択図】      図１
2005111224.tif 000002
【特許請求の範囲】
【請求項１】
テープ状基材（１０）の両面に粘着剤（９）を塗布した粘着テープ（２）を透明な板状の保護板（１）の端の部分の周囲に取り付けて密着固定すると共にシート状の固定シート（４）を前記粘着テープの一方の粘着面に取り付け、この固定シートに密閉シート（３）を取り付けて密着固定する密閉式額縁の密閉構造。
【請求項２】
上面または下面が開放した透明な板状の保護板で構成される立法体や直方体または筒状の開放した保護板（１７）の端の部分にテープ状基材の両面に粘着剤を塗布した粘着テープ（１８、２１）を周囲に取り付けて密着固定すると共にシート状の固定シートに密閉シート（１９、２２）を取り付けて密着固定し、立方体または直方体の内部を密閉構造とする密閉式飾り箱（１６）密閉構造。
【請求項３】
前記固定シートは両面または片面が熱圧着接合可能な難接着性素材で作られており、常に粘着テープの粘着面に対し、難接着性素材面が表面に成るように取り付けられる構造とする請求項１、２記載の密閉構造。
【請求項４】
前記固定シートと密閉シートは熱圧着接合で固定する構造とする請求項１、２記載の密閉構造。
【請求項５】
テープ状基材の両面に粘着剤を塗布した粘着テープ（１２）を透明な板状の保護板の端の部分の周囲に取り付けて密着固定すると共に、この粘着部の一方の面に密閉シートを取り付けて密着固定する密閉式額縁の密閉構造。
【請求項６】
透明な板状の保護板の端の部分に接着可能な素材と熱圧着性難接着性素材からなる複合固定シート（１４）の接着可能な面を接着剤（１３）で取り付けて固定すると共に、この難接着性素材の表面に難接着性素材で作られた密閉シート（３）を熱圧着接合にて取り付ける密閉式額縁の密閉構造。
【請求項７】
上面または下面が開放した透明な板状の保護板で構成される立法体や直方体または筒状の開放した保護板の端の部分に接着可能な素材と熱圧着接合可能で難接着性素材からなる複合固定シート（２４）の粘着可能な面を取り付けて接着固定すると共に、この難接着性素材の表面に難接着性素材で作られた密閉シート（２５）を熱圧着接合にて取り付けて立方体または直方体の内部を密閉構造とする密閉式飾り箱の密閉構造。
【発明の詳細な説明】
【発明の詳細な説明】
【技術分野】
【０００１】  本発明は美術品や装飾品を入れて飾るための密閉式額縁や飾り箱の密閉構造に関するものである。
【背景技術】
【０００２】  従来、密閉式額縁や飾り箱の密閉構造は保護板の端の部分に密閉構造を維持するためのシートを接着剤で固定する方法が採用されてきた。しかし、保護板とシートの接着面積が充分に確保出来ず接着強度が弱く、また、接着に時間が掛かる上、製作にばらつきが多く接着部の綺麗さや製品としての安定度、信頼性に欠ける。また、難接着性素材例えば、アクリル板とポリエチレンやポリプロピレンシート等は接着剤では接合できないという問題点があった。（例えば、特願２０００−３０２９０６、特願２００２−７１０２９、特願２００３−１０２２１１）
【発明が解決しようとする課題】
【０００３】  従来の密閉式額縁や飾り箱の密閉構造部の保護板と密閉を維持するための密閉シートの接合方法としては接着剤による接合が主として採用されてきた。しかし、この方法では取り扱える保護板やシートの材質が接着可能な材質に限定されていた。すなわち、より接着しやすいナイロンや塩化ビニールシートが使用されてきた、しかし、塩化ビニールでは分解して塩素ガスが発生することやナイロンでは熱に弱い等の理由により密閉材としての使用はできず別の素材で密閉構造部に収める美術品への影響が少ない、ポリエチレンやポリプロピレン等またはポリエチレンやポリプロピレンにナイロンをコーティングした複合材シートが使用されているのが現状である。しかし、近年密閉シートの材質はポリプロピレンやポリエチレンシートの複合材等がより密閉性が好い素材として採用されるように成ってきた。その場合、これらのシート材は熱圧着接合が可能であるが、接着剤による直接接合は非常に困難であるという問題点があった。
【０００４】  本発明は、熱圧着接合が可能で難接着性シートと薄い板状の保護板を充分強度を確保した状態で接合し、しかも仕上げ精度、安定度を維持できる密閉式額縁や飾り箱の密閉構造を提供することを目的としている。
【議題を解決するための手段】
【０００５】  上記目的を達成するために、テープ状基材の両面に粘着剤を塗布した粘着テープを透明な板状の保護板の端の部分の周囲に取り付けて密着固定すると共にシート状の固定シートを前記テープの一方の粘着面に取り付け、この固定シートに密閉シートを取り付けて密着固定する密閉式額縁の密閉構造とする。
【０００６】  上面または下面が開放した透明な板状の保護板で構成される立法体や直方体または筒状の開放した保護板の端の部分にテープ状基材の両面に粘着剤を塗布した粘着テープを周囲に取り付けて密着固定すると共にシート状の固定シートに密閉シートを取り付けて密着固定し、立方体または直方体の内部を密閉構造とする密閉式飾り箱の密閉構造とする。
【０００７】  前記固定シートは両面または片面が熱圧着性難接着性素材で作られており、常に粘着テープの粘着面に対し、難接着性素材面が表面に成るように取り付けられる構造とする密閉構造。
【０００８】  前記固定シートと密閉シートは熱圧着接合で固定する構造とする密閉構造。
【０００９】  テープ状基材の両面に粘着剤を塗布した粘着テープを透明な板状の保護板の端の部分の周囲に取り付けて密着固定すると共に、この粘着部の一方の面に密閉シートを取り付けて密着固定する密閉式額縁の密閉構造とする。
【００１０】  透明な板状の保護板の端の部分に接着可能な素材と熱圧着性難接着性素材からなる複合固定シートの接着可能な面を接着剤で取り付けて固定すると共に、この難接着性素材の表面に難接着性素材で作られた密閉シートを熱圧着接合にて取り付ける密閉式額縁の密閉構造とする。
【００１１】  上面または下面が開放した透明な板状の保護板で構成される立法体や直方体または筒状の開放した保護板の端の部分に接着可能な素材と熱圧着可能で難接着性素材からなる複合固定シートの接着可能な面を取り付けて接着固定すると共に、この難接着性素材の表面に難接着性素材で作られた密閉シートを熱圧着接合にて取り付けて立方体または直方体の内部を密閉構造とする密閉式飾り箱の密閉構造とする。
【発明を実施するための最良の形態】
【００１２】  発明の実施の形態を実施例にもとづき図面を参照して説明する。
図１に示される実施例において、密閉式額縁の密閉構造部について示す。密閉構造部の保護板１の端の部分の周囲にテープ状基材の両面に粘着剤を塗布した粘着テープ２の一面を貼り付けて固定し、この粘着テープ２に固定シート４を取り付けて、固定シート４に密閉シート３を接合した状態である。密閉構造部に絵画、書、版画等８を収め額縁の枠６にいれて裏蓋７を閉めた状態を図２に示す。【００１３】  すなわち、粘着テープ２は保護板１の側面と両面に取り付けてあり、この粘着テープ２の保護板１に取り付けた粘着面の反対側の粘着面全面に薄いシート状の固定シート４が取り付けてある。そして、この粘着テープ２に取り付けられた固定シート４の周囲に密閉構造を形成するための柔軟な難接着性素材で作られた密閉シート３が固定シート４と熱圧着接合部５で取り付けられた状態である。【００１４】  図３において密閉構造の接合部の詳細について示す。テープ状基材１０の両面に粘着剤９を塗布した粘着テープ２は保護板１の側面と両面に取り付けられているが、取り付け幅は、通常額縁の枠６に密閉構造部Ａを収めた時、外部から観て額縁の枠６の保護板１の抑え代ｂから粘着テープ２の粘着部ａが見えない程度の幅とすれば好く、通常５ｍｍから１０ｍｍぐらいにすれば好い。【００１５】  そして、この粘着テープ２の保護板接着面の反対の粘着面に粘着テープ２と同等または多少大きめな幅の固定シート４が取り付けられている。この固定シート４は薄いシート状で粘着テープ２の粘着剤９に粘着可能な素材であり、反対側は熱圧着で密閉シート３と取り付け可能な素材からなる複合シートである。【００１６】  また、保護板１に取り付けるテープ状基材１０の両面に粘着剤９を塗布した粘着テープ２は特に厚さを限定するものではないが、保護板１取り付けた場合、極端に厚くなければ好く、通常０．５ｍｍから２．０ｍｍ程度の厚さのものが使用される。また固定シート４は一面が熱圧着接合が可能な材質であれば材質的に特に限定されるものではなく粘着可能なものであれば好く、また、厚さも特に限定するものではない。【００１７】  このシート状固定シート４の表側の熱圧着可能な面に密閉シート３を熱圧着して取り付ける構造と成っており、熱圧着面は保護板１の表面また側面または裏面いずれでも好いが、通常表面の粘着テープ２の取り付け幅の部分の５ｍｍから１０ｍｍ幅の間に熱圧着接合して固定するものとする。【００１８】  尚、粘着テープ２の粘着剤９が難粘着性素材に不適合な場合、固定シート４の一面にポリエチレンやポリプロピレンを他の面にナイロンなどの粘着可能な素材をコーティングしたシートを使用し、ナイロン面を粘着剤９に付着させればよい。更に、粘着剤９が難接着材例えばポリエチレンやポリプロピレンに粘着可能な場合は、固定シート４はポリエチレンやポリプロピン単体シートでもよい。そして、この固定シート４に密閉シート３を熱圧着接合すればよい。【００１９】  図４において示される実施例は、保護板１の端の部分の周囲に粘着テープ１２を取り付けて固定し、この粘着テープ１２の粘着剤９の一面に密閉シート３を取り付けた状態である。この場合、粘着テープ１２は難接着性素材に粘着可能な粘着剤９を使用し、また密閉シート３に���粘着剤９に粘着可能な素材を用いればよい。尚、粘着テープ１２は保護板１の側面と外側に取り付けられている。【００２０】  図５に示す実施例は接合部に接着剤を使用して難接着性密閉シートを取り付ける場合であるが、保護板１の端の部分の周囲に接着剤１３を塗布して、この接着剤１３に接着可能な固定シート１４を取り付けた場合である。固定シート１４は表側が熱圧着可能な素材であり、この固定シート１４に密閉構造を形成する密閉シート３が熱圧着接合１５で取り付けられている。【００２１】  図６に示す実施例において、密閉式飾り箱１６の密閉構造について示す。保護板１７で４方を囲まれた直方体の上部が開放しており、この開放した部分の周囲に両面に粘着剤を塗布した粘着テープ１８が取り付けてあり、保護板１７に取り付けた面の反対側の粘着面にシート状の固定シートが取り付けてある。この固定シートの反対側の面は熱圧着可能な素材であり、この固定シートに開閉自在なシール構造の開口部を有した袋状の形状で柔軟な密閉シート１９が熱圧着接合で取り付けてあり、その上に蓋２０が着脱自在に被せてある。【００２２】  尚、筒状の飾り箱の場合、筒状の保護板の端の部分の側面と両面に粘着剤を塗布した粘着テープを取り付け、一方の粘着面にはシート状の固定シートを取り付け、この固定シートの反対側の面を熱圧着で密閉シートと接合すればよい。筒状の保護板の場合、熱圧着機は筒状の形状をしているもの使用すればよい。【００２３】  図７において密閉式飾り箱の密閉構造部の他の実施例について示す。保護板１７の外側の面の周囲に両面に粘着剤を塗布した粘着テープ２１を取り付けて固定した状態である。粘着テープ２１の一方の粘着面には粘着テープより多少大きめの幅を持ったシート状の固定シートが粘着剤にて取り付けられて固定されており、この固定シートの反対側の面は熱圧着可能な素材で出来ている。このシート状固定シートに密閉構造を形成するための密閉シート２２が熱圧着接合で取り付けられており、その上に着脱自在な蓋２３が乗せてある。【００２４】  図８において示される実施例において保護板１７の端に接着剤１３を使用して固定シート２４を取り付けて、この固定シート２４に難接着性密閉シート２５を取り付けた場合に付いて示す。飾り箱１６の保護板１７の端の部分の周囲に接着剤１３を付けてこの接着剤１３に接着可能な固定シート２４を取り付けたものである。固定シート２４は接着面は接着剤１３に接着可能な材質を、反対側には熱圧着接合が可能な難接着性素材からなる複合シートを使用するものとする。【００２５】  本発明の密閉構造部は、保護板の端の部分に両面テープを取り付けて、一定の力で押し付けて固定した後で固定シートを取り付ければ好い、この後で、密閉シートを固定シートに熱圧着接合するわけであるが、熱圧着はシーラーを利用すればよく、熱圧着可能な温度を発生するものであればアイロンを使用してもよく、特に設備を限定するものではない。【００２６】  また、本発明の額縁や飾り箱は、絵画、書、写真、押し花、ドライフラワー、貴金属等を包囲体で形成された密閉空間に入れて保存するものである。そのため、密閉空間を形成する包囲体のシート部はポリエチレン、ポリプロピレン、また��それらの複合シートさらにポリエチレンにナイロンがコーティングされたもの等が多く使用されており、その特性は接着が困難な難接着性素材である。またガラス板、アクリル板、ポリカーボネイト板も接着が困難な素材である。【００２７】  この、難接着性シートと薄いガラス板、アクリル板、ポリカーボネイト板とを効率よく接合する密閉構造であり、その使用範囲も特に、額縁や飾り箱に限定するものではなく、シートと板の接合構造に使用できるものである。また、この接合構造を利用すれば材質をとくに選ばず金属、非金属の薄板と難接着性シート材の接合に応用できる。【００２８】  熱圧着接合についても、短時間で接合が可能なため、粘着テープや粘着剤に影響を与えることもなく、その粘着性能が低下することもない。尚、額縁や飾り箱の大型化に際しては、保護板も大きく厚さも厚くなるため粘着テープの幅の大きいものを使用して粘着面を大きくすると共に、固定シートの厚さを厚くして、熱圧着部での接合面を大きくすればよい。【００２９】  尚、密閉シートは、その形状は特に限定するものではなく、袋状の包囲体、上部にチャックを設けた袋、または、上部が開放した筒状のものでもよく、内部に絵画、書、版画、写真等の美術品やドライフラワーや押し花等を入れて密閉出来る構造であればどのような形状でも好い。また、密閉構造部には開閉部を有しても好く、内部のガスを吸引したり不活性ガスを供給するためのノズルを設けたものでも好い。
【発明の効果】
【００３０】  本発明は、以上説明したように構成されているので、以下に記載されるような効果を奏する。
【００３１】  従来は接着困難とされている難接着性のポリエチレンやポリプロピレンまたはそれらの複合材を薄いガラス製保護板、アクリル製保護板やポリカーボネイト製保護板に熱圧着接合で取り付けて固定することができる。
【００３２】  また、接合部の強度が充分確保されるため作品の出し入れに際して保護板と密閉シートの剥がれを未然に防ぐことができる。
【００３３】  更に、接合部が綺麗に仕上がり、従来の接着材接合にみられる接合部での接着剤の凹凸、ばらつき、はみ出し等の問題がなくなる。
【００３４】  取り付けに際して個人差が生じないため、製品の安定度、信頼度が高まる。
【００３５】  取り付けに際して、従来の接着剤接合を使用しないため作業上の安全が図られる。
【００３６】  また、従来の接着剤接合に比較して寸法上ほとんど差がない。
【００３７】  また、製作に要する時間が大幅に短縮できるため、製品製造コストの低減が可能となる。
【００３８】  また、接合度が向上するため密閉部の気密性の向上が図れる。
【００３９】  密閉シートと保護板の接合が熱圧着接合のため、従来の接着剤接合のように、取り付けた後で乾燥養生時間を必要とせず、すぐに使用できる。
【図面の簡単な説明】
【図１】  粘着テープに密閉シートを取り付けた密閉式額縁の密閉構造の断面図である。
【図２】  密閉構造部に絵画を収め額縁の枠に入れた密閉式額縁の断面図である。
【図３】  密閉式額縁の密閉構造部の詳細断面図である。
【図４】  粘着テープに密閉シートを取り付けた密閉構造部の詳細断面図である。
【図５】  接着剤に密閉シートを取り付けた密閉構造部の詳細断面図である。
【図６】  粘着テープに密閉シートを取り付けた密閉式飾り箱の断面図である。
【図７】  粘着テープに密閉シートを取り付けた密閉式飾り箱の他の実施例である。
【図８】  保護板に接着剤を付けて密閉シートを固定した密閉式飾り箱の実施例である。
【符号の説明】
１、１７  保護板
２、１２、１８、２１  粘着テープ
３、１９、２２、２５  密閉シート
４、１４、２４  固定シート
５、１１、１５  熱圧着接合部
６  額縁の枠
７  裏蓋
８  絵画、書、版画等
９  粘着剤
１０  基材
１３  接着剤
１４  固定シート
１６  飾り箱
２０、２３、２６  蓋
【図１】
2005111224.tif 000003
【図２】
2005111224.tif 000004
【図３】
2005111224.tif 000005
【図４】
2005111224.tif 000006
【図５】
2005111224.tif 000007
【図６】
2005111224.tif 000008
【図７】
2005111224.tif 000009
【図８】
2005111224.tif 000010